(57)【要約】
【課題】  顔のズレ具合に適合した顔形矯正具の左右の押圧ボールを固定ベルトと組み合わせて固着し、顔の左右バランスの矯正が可能な顔形矯正具を開発・提供する事にある。
【解決手段】  この課題を解決する為に、二個のほぼ卵形状をしたベルト通し穴付押圧ボールと一本の固定ベルトを組み合わせて構成し、且つ、該ベルト通し穴付押圧ボールのほぼ中心部には固定ベルトの断面形状に適合した矩形状のベルト通し穴を貫通させて設け、且つ、該押圧ボールのベルト通し穴を基準にして表裏異形のＲ形状を有する押圧部を設け、且つ、該固定ベルトは所定の板厚・幅・長さ寸法を有し、一端表面部と他端裏面部の両端部に面ファスナー等の係止部材を設けたものである。
【選択図】  図４
0003101114.tif 000002
【実用新案登録請求の範囲】
【請求項１】
人体の顔面頬部に位置する左右顎関節部（Ｆａ）（Ｆａ'）を押圧して顔（Ｆ）の左右のバランスを矯正する顔形矯正具において、平面視がほぼ楕円形状であって、二個のベルト通し穴（１ｃ'）付押圧ボール（１）と、一本の固定ベルト（２）を組み合わせて構成し、且つ、該ベルト通し穴付押圧ボール（１）のほぼ中心部には固定ベルト（２）の断面形状（２'）に適合した矩形状のベルト通し穴（１ｃ'）を設け、且つ、該押圧ボール（１）のベルト通し穴（１ｃ'）を基準にして表裏異形のＲ形状を有する押圧部（１ａ）（１ｂ）を設け、且つ、該固定ベルト（２）は所定の板厚寸法（Ｔ'）と所定の幅寸法（Ｂ'）と所定の長さ寸法（Ｌ）を有し、一端表面部と他端裏面部の両端部に面ファスナー等の係止部材（２ｂ）（２ｃ）を設けた事を特徴とする顔形矯正具。
【考案の詳細な説明】
【技術分野】
【０００１】
この発明は、人体の顔面頬部に位置する左右顎関節部を押圧して顔の左右のバランスを矯正する顔形矯正具に関するものである。
【背景技術】
【０００２】
これまでに出願された人体の一部、又は局部を矯正する用具としては、腰痛等の治療に使用する骨盤矯正具や、猫背等を治療する頚椎矯正具や、身体全体の姿勢を治す姿勢矯正具や、顔面矯正具等がある。
【０００３】
その中でも特に顔から上の顔面矯正具としては、鼻や口（歯）や顎部の矯正に使用するものが多く出願されている。（例えば、特許文献１〜６を参照。）
しかしながら、上記の矯正具はいずれも一定の限られた形状で形成されており、誰でも使用できるものではない為、使用する人の寸法形状に合わせる必要がある等の問題がある。又、これまで顔のズレを矯正する用具は出願されていない。
【特許文献１】特許公開２００２−１０２２６４
【特許文献２】特許公開２００２−３４５８７０
【特許文献３】特許公開２００３−１７５０６４
【特許文献４】特許公開平０８−１５０１５２
【特許文献５】特許公開平０８−１５０１５３
【特許文献６】特許公開平０８−１５０１５４
【特許文献７】特許公開平０８−１５０１５５
【特許文献８】特許公開平０９−２３４２０８
【特許文献９】特許公開２００３−９３４２１
【考案の開示】
【考案が解決しようとする課題】
【０００４】
そこで、この発明は上記の問題を解決する為、顔のズレ具合に適合した顔形矯正具の左右の押圧ボールを固定ベルトと組み合わせて固着し、顔の左右バランスの矯正が可能な顔形矯正具を開発・提供する事にある。
【課題を解決するための手段】
【０００５】
そこで、この課題を解決する為に、平面視がほぼ楕円形状であって、二個のベルト通し穴付押圧ボールと、一本の固定ベルトを組み合わせて構成し、且つ、該ベルト通し穴付押圧ボールのほぼ中心部には固定ベルトの断面形状に適合した矩形状のベルト通し穴を設け、且つ、該押圧ボールのベルト通し穴を基準にして表裏異形のＲ形状を有する押圧部を設け、且つ、該固定ベルトは所定の板厚寸法と所定の幅寸法と所定の長さ寸法を有し、一端表面部と他端裏面部の両端部に面ファスナー等の係止部材を設けたものである。
【考案の効果】
【０００６】
二個のほぼ楕円形状をしたベルト通し穴付押圧ボールと一本の固定ベルトを組み合わせて構成した顔形矯正具を使用して人体の顔面頬部に位置する左右顎関節部を正しく適度に押圧する事で、顔の左右のバランスを矯正し、魅力的でシャープな小顔作りができる。
【考案を実施するための最良の形態】
【０００７】
この考案の最良の形態としては、まず、本考案である顔形矯正具を使用する前に、使用者が自分の顔の実態を正しく把握する必要がある。又、その為には本件出願以前に考案し、出願（実願２００３−２７１３９７）した検顔用鏡を使用して自身の顔の実態を認識した上で、正しく顔形矯正具を使用する事が必要である。
【実施例１】
【０００８】
そこで、この考案の一実施例を図１〜図３に従って詳述すると、平面視がほぼ楕円形状であって、二個のベルト通し穴（１ｃ’）付押圧ボール（１）と、一本の固定ベルト（２）を組み合わせて構成し、且つ、該ベルト通し穴付押圧ボール（１）のほぼ中心部には固定ベルト（２）の断面形状（２’）に適合した矩形状のベルト通し穴（１ｃ’）を設け、且つ、該押圧ボール（１）のベルト通し穴（１ｃ’）を基準にして表裏異形のＲ形状を有する押圧部（１ａ）（１ｂ）を設け、且つ、該固定ベルト（２）は所定の板厚寸法（Ｔ’）と所定の幅寸法（Ｂ’）と所定の長さ寸法（Ｌ）を有し、一端表面部と他端裏面部の両端部に面ファスナー等の係止部材（２ｂ）（２ｃ）を設けた事を特徴とする顔形矯正具から構成される。
【０００９】
最初に、顔形矯正具の押圧ボール（１）と固定ベルト（２）の材質及び詳細寸法について説明すると、押圧ボール本体（１’）の材質はポリウレタン製で、正面から見た場合、縦寸法が８０ｍｍで横寸法が７０ｍｍの楕円形状で形成され、押圧ボール（１）のほぼ中心部には、幅寸法（Ｂ）が４７ｍｍで、高さ寸法（Ｔ）が６ｍｍの矩形状のベルト通し穴（１ｃ’）が設けられ、且つ、ベルト通し穴（１ｃ’）を基準にして表側の薄肉押圧部（Ｌ１）の厚みが２５ｍｍで、裏側の厚肉押圧部（Ｌ２）の厚みが３５ｍｍの異形のＲ形状に形成されている。又、固定ベルト（２）のガイド部材（１ｃ）は材質がＡＢＳ樹脂製で、押圧ボール内部の補強を兼ねた一体構造と成っている。
【００１０】
又、固定ベルト本体（２ａ）はナイロン製で、板厚寸法（Ｔ’）が４ｍｍで、幅寸法（Ｂ’）が４５ｍｍで、長さ寸法（Ｌ）が５６０〜６３０ｍｍで形成され、且つ、該固定ベルト本体（２ａ）の一端表面部に幅寸法が３０ｍｍで、長さ寸法が１３５ｍｍの面ファスナー（２ｂ）を貼着し、他端裏面部に直径３０ｍｍの円形状の面ファスナー（２ｃ）を貼着している。
【００１１】
次に、顔形矯正具の押圧ボール（１）と固定ベルト（２）の使用方法を説明すると、例えば顔が左側にズレを生じている人の場合、まず、最初に内側に当たる押圧ボールの厚肉押圧部（Ｌ２）が左側の頬部（Ｆａ）に位置する様に固定ベルト（２）に取り付け、又、反対側は、内側に当たる押圧ボールの薄肉押圧部（Ｌ１）が右側の頬部（Ｆａ’）に位置する様に固定ベルト（２）に取り付ける。
【００１２】
そして、図５に示す様に左右の頬部（Ｆａ）（Ｆａ’）に位置する顎関節部に押圧ボール（１）を固定し、又、固定ベルト（２）の下部は顎部に宛がい、更に頭上で面ファスナーを固着する。又、使用時間は、１日２回のサイクルで約５分〜１０分程度使用すると効果がある。
【産業上の利用可能性】
【００１３】
この考案は、人の顔のズレを正しく矯正し、バランスのとれた美しい小顔美人に成れる事から、男女を問わず、大人から子供に至るまで広範囲に寄与する点で、産業上の利用可能性を有する。
【図面の簡単な説明】
【００１４】
【図１】この考案の一実施例を示し、（Ａ）は押圧ボールの平面図で、（Ｂ）は正面図である。
【図２】この考案の一実施例を示し、図１（Ｂ）のａ−ａ矢視図である。
【図３】この考案の一実施例を示し、（Ａ）は固定ベルトの平面図で、（Ｂ）は側面図である。
【図４】この考案の一実施例を示し、押圧ボールと固定ベルトの組立図である。
【図５】この考案の使用例を示し、正面図である。
【符号の説明】
【００１５】
１  押圧ボール
１’  押圧ボール本体
１ａ  押圧部（Ｒ形状が小さい方）
１ｂ  押圧部（Ｒ形状が大きい方）
１ｃ  ガイド部材
１ｃ’  ベルト通し穴
２  固定ベルト
２’  固定ベルトの断面形状
２ａ  固定ベルト本体
２ｂ  面ファスナー（表側）
２ｃ  面ファスナー（裏側）
Ｂ  ベルト通し穴の幅寸法
Ｂ’  ベルトの幅寸法
Ｌ  ベルトの長さ寸法
Ｌ１  厚肉押圧部
Ｌ２  薄肉押圧部
Ｔ  ベルト通し穴の高さ寸法
Ｔ’  ベルト本体の板圧寸法
Ｆ  顔
Ｆａ  左の頬部
Ｆａ’  右の頬部
【図１】
0003101114.tif 000003
【図２】
0003101114.tif 000004
【図３】
0003101114.tif 000005
【図４】
0003101114.tif 000006
【図５】
0003101114.tif 000007